(57)【要約】【課題】  粒状感を有するフィルム調の画像を得ることができる撮像装置を提供する。【解決手段】  本発明の撮像装置は、被写体像を撮像して画像データを生成する撮像部３と、画像データに粒状感を持たせるフィルム調モードを設定するモード設定手段３２と、画像データの撮像時における撮像部の撮像感度を設定する感度設定手段２０とを有し、感度設定手段は、モード設定手段によりフィルム調モードが設定されると、撮像部の撮像感度を所定感度以上に設定することを特徴とする。【選択図】  図１
2008252242.tif 000002
【特許請求の範囲】
【請求項１】
被写体像を撮像して画像データを生成する撮像部と、
前記画像データに粒状感を持たせるフィルム調モードを設定するモード設定手段と、
前記画像データの撮像時における前記撮像部の撮像感度を設定する感度設定手段と、を有し、
前記感度設定手段は、前記モード設定手段により前記フィルム調モードが設定されると、前記撮像部の撮像感度を所定感度以上に設定することを特徴とする撮像装置。
【請求項２】
前記画像データの前記粒状感の強弱を設定する強弱設定手段を有し、
前記感度設定手段は、前記強弱設定手段により前記粒状感を強める方向の設定がなされるほど、前記撮像部の撮像感度を高感度側に設定することを特徴とする請求項１記載の撮像装置。
【請求項３】
前記撮像部は、撮像素子と、該撮像素子から出力された撮像信号を処理して前記画像データとして出力する処理部とを含み、
前記処理部は、前記撮像信号に対して、前記粒状感を強調する粒状感ノイズ処理を実行した上で前記画像データとして出力するノイズ処理手段を含むことを特徴とする請求項１又は請求項２に記載の撮像装置。
【請求項４】
被写体像を撮像して撮像信号を生成する撮像素子と、
前記撮像信号のノイズを処理して画像データとして出力するノイズ処理手段と、
前記画像データに粒状感を持たせるフィルム調モードを設定するモード設定手段と、を有し、
前記ノイズ処理手段は、前記モード設定手段により前記フィルム調モードが設定されると、前記撮像信号のノイズを強調する粒状感ノイズ処理を行うことを特徴とする撮像装置。
【請求項５】
前記撮像信号に相当する画像領域のうち、所定情報に基づいて領域を特定する特定手段を更に有し、
前記ノイズ処理手段は、前記特定手段で特定された領域に相当する撮像信号に対して前記粒状感ノイズ処理を実行することを特徴とする請求項３又は請求項４に記載の撮像装置。
【請求項６】
前記粒状感ノイズ処理は、前記画像データの輝度情報の中における、所定周波数以上のノイズ成分の割合を高める処理であることを特徴とする請求項５記載の撮像装置。
【請求項７】
前記粒状感ノイズ処理は、前記画像データの輝度情報の中における、所定周波数以上のノイズ成分の割合を、前記画像データの色差情報の中における前記所定周波数以上のノイズ成分の割合よりも高める処理であることを特徴とする請求項５又は請求項６に記載の撮像装置。
【請求項８】
前記所定情報は、色情報、輝度情報、及び合焦領域情報のうち少なくとも１つを含むことを特徴とする請求項５乃至請求項７の何れか一項に記載の撮像装置。
【請求項９】
前記モード設定手段により前記フィルム調モードが設定されると、前記撮像部の撮像感度を所定値以下に設定することを禁止することを特徴とする請求項１乃至請求項８の何れか一項に記載の撮像装置。
【発明の詳細な説明】
【技術分野】
【０００１】
本発明は、フィルムカメラ（銀塩写真）のような粒状感を有する画像データを得ることができる撮像装置に関するものである。
【背景技術】
【０００２】
従来、デジタルカメラ等の撮像装置を構成する撮像素子は、その構造上、暗電流ノイズや固定パターンノイズ等のノイズ（電気ノイズ）が画像信号に付加し、画質を低下させることがあった。特に、撮像感度を高感度に設定した場合、撮像素子のゲインを上げて信号を増幅させているため、同時にノイズも増幅し画質のノイズ感が増加していた。そのため、デジタルカメラ等の撮像装置の開発においては、ノイズの低減に力が注がれていた（特許文献１参照）。
【特許文献１】特開２００４−２４８００６号公報
【発明の開示】
【発明が解決しようとする課題】
【０００３】
ところで、ノイズを低減するために撮像信号の高周波成分を低減するフィルターを掛ける等の処理を行った場合、画像の解像感の低下、画像の立体感の損失といった弊害が生じる場合がある。また、撮像装置により撮影された「写真」として、「ノイズがない画像」が必ずしも主観的に利用者の好みに合致していないこともある。例えば、白黒写真においては、銀塩フィルム調の粒状感が「味わい」とされ、ノイズの無い画像では、逆に違和感を生じる場合がある。そのため、粒状感を有する画像を得るべく、デジタルカメラ出力のデジタル画像に対し、アプリケーションによる後処理としてノイズを追加し、銀塩写真風の写真を得ることが提案されている（特開平１１−８５９５５号公報参照）。しかしながら従来は、このような後処理を撮影後に撮影者が施す作業が必要となり、手間がかかって煩わしいという問題があった。
【０００４】
本発明の課題は、被写体を撮影した際の撮像信号に含まれるノイズを利用して粒状感を有するフィルム調の画像を、撮影者の手間を煩わせることなく簡便に得ることができる撮像装置を提供することである。
【課題を解決するための手段】
【０００５】
本発明の撮像装置は、被写体像を撮像して画像データを生成する撮像部と、前記画像データに粒状感を持たせるフィルム調モードを設定するモード設定手段と、前記画像データの撮像時における前記撮像部の撮像感度を設定する感度設定手段とを有し、前記感度設定手段は、前記モード設定手段により前記フィルム調モードが設定されると、前記撮像部の撮像感度を所定感度以上に設定することを特徴とする。
【０００６】
また、本発明の撮像装置は、被写体像を撮像して撮像信号を生成する撮像素子と、前記撮像信号のノイズを処理して画像データとして出力するノイズ処理手段と、前記画像データに粒状感を持たせるフィルム調モードを設定するモード設定手段とを有し、前記ノイズ処理手段は、前記モード設定手段により前記フィルム調モードが設定されると、前記撮像信号のノイズを強調する粒状感ノイズ処理を行うことを特徴とする。
【発明の効果】
【０００７】
本発明の撮像装置によれば、フィルム調モードに設定された場合には、撮像部の撮像感度を所定感度以上に設定しているため、被写体像を撮像した場合に撮像素子から出力される撮像信号に多くのノイズ（例えば電気ノイズ）が含まれることになり、粒状感を有するフィルム調の画像を得ることができる。従って、ノイズ低減処理を実行した後、別途、粒状感を付与する処理を行うことなく、撮像信号に含まれるノイズを用いることによって、粒状感を有するフィルム調の画像を得ることができる。
【０００８】
また、本発明の撮像装置によれば、フィルム調モードに設定された場合には、被写体像を撮像した撮像素子から出力される撮像信号に対して粒状感ノイズ処理を実行する。従って、ノイズ低減処理の実行に替えて粒状感ノイズ処理を実行することにより、撮像信号に含まれているノイズを用いて、粒状感を有するフィルム調の画像を得ることができる。
【発明を実施するための最良の形態】
【０００９】
以下、図面を参照して本発明の第１の実施の形態に係る撮像装置について説明する。なお、本実施の形態においては、撮像装置としてデジタルカメラを例として説明する。図１は、第１の実施の形態に係るデジタルカメラのブロック構成図である。電動ズーム式の撮影レンズ１は、焦点調節を行うためのフォーカシングレンズ（図示省略）と焦点距離を変えるための変倍レンズ（図示省略）とにより構成されており、フォーカシングレンズはドライバ１３により、変倍レンズはドライバ１６により、それぞれ駆動される。各ドライバ１３、１６は、それぞれレンズを駆動する駆動機構と駆動回路とを備えており、それぞれＣＰＵ２０により制御される。
【００１０】
撮像素子３は、撮影レンズ１により撮像面上に結像された被写体像の光強度に応じた電気信号（撮像信号）を出力する光電変換撮像素子であり、ＣＣＤ型やＭＯＳ型の固体撮像素子が用いられる。撮像素子３は撮像信号の取り出しタイミングをコントロールするドライバ１５により駆動される。また、撮影レンズ１と撮像素子３との間には絞り２が設けられており、絞り２は、絞り駆動機構と駆動回路を備えたドライバ１４により駆動される。
【００１１】
撮像素子３から出力された撮像信号はアナログ信号処理回路４に入力され、アナログ信号処理回路４において相関二重サンプリング処理（ＣＤＳ処理）等の処理が行われる。アナログ信号処理回路４で処理された撮像信号は、Ａ／Ｄ変換器５によりアナログ信号からデジタル信号に変換された後に、画像処理回路６に入力される。画像処理回路６は、輝度情報生成回路６０及び色差情報生成回路６１等を備えており（後述する図３〜図６参照）、入力された撮像信号に対して後述するようなノイズ低減処理や粒状感ノイズ処理を行う。バッファメモリ１１は、撮像素子３で撮像された複数フレーム分のデータを記憶することができるフレームメモリであり、撮像素子３で生成された撮像信号は、画像処理回路６を介して一旦バッファメモリ１１に記憶される。そして、記憶された撮像信号がバッファメモリ１１から読み出され、画像処理回路６においてノイズ低減処理や粒状感ノイズ処理が施された後、処理後の信号（画像データ）が再びバッファメモリ１１に格納される。
【００１２】
また、画像処理回路６における一連の処理が施され、バッファメモリ１１に格納された画像データは、記録・再生信号処理回路９を介してメモリカード等の外部記憶媒体１０に記録される。画像データを外部記憶媒体１０に記録する際には、一般的に所定の圧縮形式、例えば、ＪＰＥＧ方式でデータ圧縮が行われる。記録・再生信号処理回路９では、画像データを外部記録媒体１０に記録する際のデータ圧縮および外部記憶媒体１０から圧縮された画像データを読み込む際のデータ伸長処理を行う。なお、記録・再生信号処理回路９には外部記憶媒体１０とデータ通信を行うためのインタフェースも含まれている。
【００１３】
モニタ８には、撮像素子３により撮像された被写体像を示す画像データが表示され、モニタ８としては、例えば、液晶表示装置が用いられる。即ち、撮像素子３により生成された撮像信号が、アナログ信号処理回路４、Ａ／Ｄ変換器５及び画像処理回路６を介してバッファメモリ１１に記憶される。次に、バッファメモリ１１から読み出された撮像信号に対して、画像処理回路６において所定の処理が施されることにより画像データが生成され、生成された画像データがバッファメモリ１１に記憶される。そして、記憶された画像データが読み出されてＶＲＡＭ７に転送され、ＶＲＡＭ７に記憶された画像データに基づく画像がモニタ８に表示される。なお、撮像された被写体像を示す画像は、撮影直後は所定時間のみモニタ８に表示される。一方、過去に撮影された画像を表示（再生）等する場合は、外部記憶媒体１０から読み出された画像データをＶＲＡＭ７に転送し、モニタ８に所望の画像を再生表示する。
【００１４】
ＣＰＵ２０は、撮像素子３、画像処理回路６およびドライバ１３〜１６等と接続され、撮像素子３の感度調整及びカメラ動作のシーケンス制御を行う。なお、本実施形態では、撮像素子３からの出力に基づいて、後述する露出（ＡＥ）演算や、焦点評価値（ＡＦ）演算を行うもの（コントラストＡＦを行うもの）として説明するが、本発明はこれに限定されるものではない。ＡＥについては従来公知の、専用の測光センサー（不図示）を用いても良いし、ＡＦについても従来公知の位相差検出方式のＡＦセンサー（不図示）を用いても良い。
【００１５】
ＣＰＵ２０のＡＥ演算部２１では撮像素子３からの撮像信号に基づいて自動露出演算を行い、ＡＷＢ演算部２２ではホワイトバランス調整係数の演算が行われる。バンドパスフィルタ（ＢＰＦ）２４は、撮像領域に設けられた焦点検出エリア内の撮像信号に基づいて所定帯域の高周波成分を抽出する。なお、複数の焦点検出エリアが設定されている場合には、各エリア内の信号が順に読み出され、各エリア毎の抽出処理がＢＰＦ２４によって行われる。以下では焦点検出エリアが一つの場合を例に説明する。
【００１６】
ＢＰＦ２４の出力は、評価値演算部２５に入力される。評価値演算部２５では、高周波成分の絶対値を積分して焦点検出エリア内の被写体像に関する焦点評価値を算出する。ＡＦ演算部２６は算出された焦点評価値に基づいてコントラスト法によりＡＦ演算を行う。コントラスト法では、像のボケの程度とコントラストとの間には相関があり、焦点が合ったときに像のコントラストが最大になることを利用して焦点合わせを行う。なお、コントラストの大小は撮像信号の高周波成分の大小により評価することができる。
【００１７】
次に、ＣＰＵ２０はＡＦ演算部２６の演算結果に基づいてドライバ１６を制御し、撮影レンズ１に設けられた変倍レンズの位置を調整すると共にドライバ１３を制御し、撮影レンズ１のフォーカシングレンズを合焦位置に駆動する。
【００１８】
ＣＰＵ２０に接続された操作部３０には、カメラの電源をオン・オフするための電源スイッチ３１、被写体を撮影する際の撮影モード（銀塩写真のような粒状感をもつ画像を撮像するための「フィルム調モード」を含む）を設定するモード設定ボタン３２、モニタ８をオン・オフするためのモニタボタン３３、モニタ８にセットアップメニュー等のメニューを表示させるためのメニューボタン３４、シャッタボタン３５及びメニュー選択用のセレクトダイアル３６が設けられている。これらのスイッチやボタン等を操作すると、その操作に応じた信号がＣＰＵ２０に入力される。なお、セレクトダイアル３６は、ダイヤルを回転することにより、デジタルカメラの動作メニューを、撮影、再生又はセットアップ等に切り換えることができる。
【００１９】
図２は、第１の実施の形態に係るデジタルカメラにおける処理を説明するためのフローチャートである。操作部３０のシャッタボタン３５が押されると、デジタルカメラにおける撮影モードがフィルム調モードとなっているか否かを判断する（ステップＳ１０）。即ち、ユーザのモード設定ボタン３２に対する操作により、撮影モードが画像データに粒状感を持たせるフィルム調モードに設定されているか否かを判断する。
【００２０】
撮影モードがフィルム調モードに設定されている場合には（ステップＳ１０）、撮像時における撮像素子３の撮像感度を所定感度以上に設定する（ステップＳ１１）。即ち、撮像素子３におけるゲインを所定ゲイン値以上に上げるべく、ＣＰＵ２０から撮像素子３に対して所定の指令信号を出力し、撮像素子３の撮影感度を高感度に、例えば、ＩＳＯ感度を１６００以上に設定する。そして、ＩＳＯ感度が高感度に設定された状態で、被写体の撮影を行なう。なお、撮像素子３から出力される撮像信号は、アナログ信号処理回路４及びＡ／Ｄ変換器５を介して画像処理回路６に入力された後、一旦バッファメモリ１１に記憶される。
【００２１】
次に、画像処理回路６において、入力された撮像信号に対して粒状感ノイズ処理を施す（ステップＳ１２）。即ち、バッファメモリ１１に記憶されている撮像信号を読み出し、以下に説明する粒状感ノイズ処理を施す。ここで、画像データは、輝度情報Ｙと色情報（色差情報）Ｃｂ、Ｃｒにより構成されており、画像データ中の色ノイズ（色差情報に含まれるノイズ成分）の割合が多いほど、デジタル画像に特有のノイズ感が強調された画像となる。一方、色ノイズよりも輝度ノイズ（輝度情報に含まれるノイズ成分）の方が相対的に多くなっているほど、フィルム調の粒状感が強調された画像となる。従って、画像処理回路６においては、画像データのうち、輝度情報Ｙに含まれるノイズ成分を色差情報Ｃｂ、Ｃｒに含まれるノイズ成分よりも多く残すための処理、換言すれば、輝度ノイズのバランスを色差ノイズよりも多くするための処理が実行される。
【００２２】
図３は、第１の実施の形態に係る画像処理回路６において行なわれる粒状感ノイズ処理を説明するための図である。画像処理回路６は、図３に示すように、入力された撮像信号に基づいて輝度情報Ｙを生成する輝度情報生成回路６０、入力された撮像信号に基づいて色差情報Ｃｂ、Ｃｒを生成する色差情報生成回路６１、輝度情報Ｙに対して任意の強度でローパス処理を施すローパスフィルタ（ＬＰＦ）４０及び色差情報Ｃｂ、Ｃｒに対して任意の強度でローパス処理を施すローパスフィルタ（ＬＰＦ）４１を備えている。
【００２３】
画像処理回路６においては、ＣＰＵ２０からの指令に基づいて、輝度情報生成回路６０において生成された輝度情報Ｙに対するＬＰＦ４０のローパス強度を、色差情報生成回路６１において生成された色差情報Ｃｂ、Ｃｒに対するＬＰＦ４１のローパス強度よりも弱めるようにＬＰＦ４０及び／又はＬＰＦ４１のローパス強度を制御する。ローパス強度の制御は、例えば、信号を平滑化する際のサイズ（ｎ画素×ｎ画素）を変更することによって実現することができる。即ち、平滑化サイズ（面積）を小さくするほど、粒状感を増した画像を得ることができる。一例として、ＬＰＦ４０は「３画素×３画素」で平滑化するように設定し、ＬＰＦ４１は「５画素×５画素」で平滑化するように設定することで、ＬＰＦ４０のローパス強度をＬＰＦ４１よりも弱くすることができる。このようにＬＰＦの強度を制御することにより、輝度情報Ｙの高周波ノイズ成分が、色差情報の高周波ノイズ成分より多く存在する画像データ、換言すれば、粒状感を有する画像を得ることができる。
【００２４】
次に、画像処理回路６において粒状感ノイズ処理が施された画像データを出力する（ステップＳ１３、図２参照）。即ち、画像処理回路６において粒状感ノイズ処理が施された画像データは、一旦、バッファメモリ１１に送信され記憶される。そして、バッファメモリ１１から読み出されてＶＲＡＭ７に転送され、モニタ８において表示されると共に、記録・再生信号処理回路９を介して外部記憶媒体１０に出力され記憶される。
【００２５】
一方、ステップＳ１０において、フィルム調モードに設定されていないと判断された場合には、ユーザによるマニュアルの撮像感度設定や、ＣＰＵ２０のＡＥ演算部２１における自動露出演算の結果等に基づく撮像感度の設定が行なわれる（ステップＳ１４）。
【００２６】
次に、ステップＳ１４において設定された撮像感度が所定の感度以上となっていると判別した場合には（ステップＳ１５）、撮像素子３から出力される撮像信号に対し、画像処理回路６においてノイズ低減処理が施される（ステップＳ１６）。即ち、所定の値以上の撮像感度に設定された状態で撮像素子３における被写体像の撮像が行われ、撮像信号がバッファメモリ１１に記憶された場合には、画像処理回路６において、バッファメモリ１１から読み出した撮像信号に対し固定パターンノイズを除去する等のノイズ低減処理が行われる。なお、ステップＳ１４において設定された撮像感度が所定感度以下と判別した場合には（ステップＳ１５）、ノイズ低減処理が施されることなく、次のステップに進む。
【００２７】
次に、画像データを出力する（ステップＳ１３）。即ち、画像処理回路６においてノイズ低減処理が施された画像データ、あるいはノイズ低減処理が施されていない画像データを、バッファメモリ１１に記憶する。そして、バッファメモリ１１から取り出された画像データが、ＶＲＡＭ７に転送され、モニタ８において表示されると共に、記録・再生信号処理回路９を介して外部記憶媒体１０に出力され記憶される。
【００２８】
本第１の実施の形態に係る撮像装置によれば、ローパスフィルタのローパス強度を調整することによって、撮像信号に含まれるノイズを用い、粒状感を有するフィルム調の画像を得ることができる。
【００２９】
次に、図面を参照して、本発明の第２の実施の形態に係る撮像装置について説明する。なお、第２の実施の形態に係る撮像装置としては、第１の実施の形態と同様のデジタルカメラを用いる。また、デジタルカメラの構成についての説明は省略する。本第２の実施の形態に係るデジタルカメラの動作について図２に基づき説明する。なお、第１実施形態の動作と異なる点は、ステップＳ１２における粒状感ノイズ処理の動作だけであるので、以下では、この点についてのみ説明し、他のステップの動作については説明を省略する。
【００３０】
図４は、図２のステップＳ１２において行われる、第２の実施の形態に係る画像処理回路６での粒状感ノイズ処理を説明するための図である。画像処理回路６は、図４に示すように、撮像信号に基づいて輝度情報Ｙを生成する輝度情報生成回路６０、撮像信号に基づいて色差情報Ｃｂ、Ｃｒを生成する色差情報生成回路６１、輝度情報生成回路６０により生成された輝度情報Ｙに対して所定の処理（ハイパス処理）を施すハイパスフィルタ（ＨＰＦ）４２及び加算回路４３を備えている。そして、画像処理回路６においては、ＣＰＵ２０からの指令に基づいて、輝度情報Ｙの一部に対してＨＰＦ４２によりハイパス処理を施し、加算回路４３において、ハイパス処理が施された輝度情報Ｙとハイパス処理が施されていない輝度情報Ｙとを加算する。このような処理を行うことにより、輝度情報Ｙには、高周波のノイズ成分が加算されることになる。そのため、輝度情報Ｙの高周波ノイズ成分が、色差情報Ｃｂ、Ｃｒの高周波ノイズ成分より多く存在する画像データを得ることができる。
【００３１】
なお、画像処理回路６の構成として、図５に示すような回路構成を用いてもよい。即ち、図５に示すように、輝度情報生成回路６０において生成された輝度情報Ｙの一部に対してハイパス処理を施すＨＰＦ４２ａ及び加算回路４３ａを設け、色差情報生成回路６１において生成された色差情報Ｃｂ、Ｃｒの一部に対してハイパス処理を施すＨＰＦ４２ｂ及び加算回路４３ｂを設けるようにしてもよい。このような場合には、ＨＰＦ４２ｂのハイパス強度をＨＰＦ４３ａのハイパス強度よりも弱く設定することによって、上述の図４に示す画像処理回路６と同様の機能を果たすことができる。
【００３２】
本第２の実施の形態に係る撮像装置によれば、ハイパスフィルタと加算回路を用いることによって、撮像信号に含まれるノイズを用い、粒状感を有するフィルム調の画像を得ることができる。即ち、撮像信号を構成する輝度情報の高周波ノイズ成分が色差情報の高周波ノイズ成分よりも多くなるように処理を施すことによって、粒状感を有するフィルム調の画像を得ることができる。
【００３３】
次に、図面を参照して、本発明の第３の実施の形態に係る撮像装置について説明する。なお、第３の実施の形態に係る撮像装置として、第１の実施の形態と同様のデジタルカメラを用いる。また、デジタルカメラの構成についての説明は省略する。本第３の実施の形態に係るデジタルカメラの動作を図２に基づき説明する。なお、第１実施形態の動作と異なる点は、ステップＳ１２における粒状感ノイズ処理の動作だけであるので、以下ではこの点についてのみ説明し、他のステップの動作については説明を省略する。
【００３４】
図６は、図２のステップＳ１２において行われる第３の実施の形態に係る画像処理回路６での粒状感ノイズ処理を説明するための図である。画像処理回路６は、図６に示すように、撮像信号に基づいて輝度情報Ｙを生成する輝度情報生成回路６０、撮像信号に基づいて色差情報Ｃｂ、Ｃｒを生成する色差情報生成回路６１、輝度情報Ｙ及び色差情報Ｃｂ、Ｃｒのそれぞれに対してローパス処理を施すＬＰＦ４４と、ＪＰＥＧ圧縮回路４５を備えている。なお、このＪＰＥＧ圧縮回路４５は、図６の実施形態においては、図１の記録・再生信号処理回路９で行われるデータ圧縮処理を代わりに行うものである。ＪＰＥＧ圧縮回路４５は、ＤＣＴ（離散コサイン変換）処理回路４６と重み付け係数回路４７とにより構成されている。画像処理回路６においては、輝度情報生成回路６０において輝度情報Ｙが生成され、色差情報生成回路６１において色差情報Ｃｂ、Ｃｒが生成される。生成された輝度情報Ｙ及び色差情報Ｃｂ、Ｃｒが、それぞれに設けられたＬＰＦ４４によりそれぞれ所定強度でローパス処理が施された後、ＪＰＥＧ圧縮回路４５に入力される。ＪＰＥＧ圧縮回路４５においては、輝度情報Ｙ及び色差情報Ｃｂ、ＣｒがＤＣＴ処理回路４６に入力される。ＤＣＴ処理回路４６では、輝度情報Ｙ及び色差情報Ｃｂ、Ｃｒをそれぞれ複数の周波数成分毎に分離抽出する処理が行われ、その分離抽出された各情報（各周波数毎の情報）が重み付け係数回路４７に入力される。重み付け係数回路４７において、輝度情報Ｙに対しては、抽出された周波数成分のうち所定周波数成分以上の周波数成分に対する重みを、他の周波数成分よりも大きくする。一方、色差情報Ｃｂ、Ｃｒに対しては、抽出された周波数成分のうち所定周波数成分未満の周波数成分に対する重みを、他の周波数成分よりも大きくする。このように重み付けをすることによって、輝度情報Ｙの高周波ノイズ成分が、色差情報Ｃｂ、Ｃｒの高周波ノイズ成分よりも多く存在している画像データ、即ち、粒状感を有する画像データを得ることができる。
【００３５】
なお、重み付け係数回路における重み付け処理は、上述の例に限定されるものではなく、例えば、輝度情報Ｙに対しては上述の場合と同様に重み付けを行う一方で、色差情報Ｃｂ、Ｃｒに対しては、各周波数成分に対する重み付けを一様な（均等な）重みにするようにしてもよい。このように重み付けを行った場合であっても、上述の場合と同様に、粒状感を有する画像データを得ることができる。
【００３６】
本第３の実施の形態に係る撮像装置によれば、ローパスフィルタと、ＤＣＴ処理回路及び重み付け係数回路を備えるＪＰＥＧ圧縮回路を用い、撮像信号に含まれるノイズを用いて、粒状感を有するフィルム調の画像を得ることができる。即ち、撮像信号を構成する輝度情報及び色差情報について、輝度情報の高周波ノイズ成分が、色差情報の高周波ノイズ成分よりも多く存在するように処理を施すことによって、粒状感を有するフィルム調の画像を得ることができる。
【００３７】
上述の実施の形態に係るデジタルカメラは、撮影モードがフィルム調モードに設定された場合には、自動的に撮像素子の撮像感度を所定感度以上に設定して撮影を行い、撮像素子から出力された撮像信号に粒状感ノイズ処理を施している。即ち、敢えて高い撮像感度で撮影を行い、撮像信号に含まれるノイズを増加させた上で、撮像信号に含まれるノイズを粒状感を有するノイズとする処理を施している。従って、使用者は、撮影操作を行うだけで（後で画像の加工処理をアプリケーションソフトを使って行う手間なしに）粒状感を有するフィルム調の画像を容易に得ることができる。
【００３８】
なお、上述の実施の形態に係るデジタルカメラにおいては、フィルム調モードが設定された場合には、自動的に撮像感度の設定を行っているが、フィルム調モードが設定された場合であっても、ユーザがマニュアルで撮像感度を設定することができるようにしてもよい。このような場合、例えば、撮影モードがフィルム調モードに設定された場合には、フィルム調モードとして自動的に設定される撮像感度が優先されるか、若しくは、撮像感度が所定感度以下に設定されることを禁止する制御を行う（下限値を設ける）等のように、一定の制限を設けるようにしてもよい。
【００３９】
また、上述の実施の形態に係るデジタルカメラにおいては、フィルム調モードが設定された場合に、撮像感度を所定感度以上に設定し（図２のステップＳ１１）、粒状感ノイズ処理を実行しているが、撮像感度の設定を行うことなく、粒状感ノイズ処理のみを実行するようにしてもよい。即ち、モード設定手段により画像データに粒状感を持たせるフィルム調モードが設定された場合には、撮像素子から出力される撮像信号に含まれるノイズを強調する粒状感ノイズ処理のみを実行し、図２のステップＳ１１に記載したような高感度設定動作を行わないようにしてもよい。
【００４０】
また、上述の実施の形態に係るデジタルカメラにおいては、画像処理回路において撮像信号に粒状感ノイズ処理を施しているが、「粒状感ノイズ処理」は、画像処理回路において実行される処理に限定されるものではない。即ち、ユーザによりマニュアルで撮像感度が高感度設定された場合等に、通常の場合であれば行われるノイズ低減処理（図２のステップＳ１６の処理）を実行しないようにすることも、粒状感ノイズ処理に含まれるものである。具体的には、ＩＳＯ感度を高感度に設定した場合には、撮像素子のゲインを上げるが、これにより撮像素子から出力される撮像信号に含まれるノイズが強調される。そのため、高感度で撮影された撮像信号（高感度撮像信号）に、ノイズ低減処理を施すことなく画像データとして出力した場合にも、実質的に粒状感を有する画像を得ることができる。
【００４１】
また、フィルム調モードが設定された場合に、上述のステップＳ１１の高感度設定処理は行うが、ステップＳ１２の粒状感ノイズ処理は行わないようにすることによって、粒状感を有する画像を得るようにしても良い。
【００４２】
また、上述の実施の形態に係るデジタルカメラにおいて、フィルム調モードを選択した場合に、粒状感の程度の強弱を多段階に設定することができるようにしてもよい。このような場合には、粒状感を強める方向の設定が成される程、撮像感度が自動的に高感度側に設定される。また、この強弱設定は、上記各実施形態における画像処理回路６内で使用されるパラメータを、ＣＰＵ２０が制御（チューニング）することによっても行われる。このパラメータには、図３〜図６に示されたＬＰＦやＨＰＦのフィルター強度であったり、あるいは、図６に示された重み付け係数回路４７で設定される重み係数等が含まれる。
【００４３】
また、上述の実施の形態に係るデジタルカメラにおいて、粒状感ノイズ処理を施す画像領域を特定できるようにしてもよい。即ち、デジタルカメラは、撮像素子から出力された撮像信号（コントラストＡＦの検出結果やＡＥ検出結果も含まれるもの）や、あるいは、場合によっては前述のＡＥ用の測光センサ（例えば、ファインダー脇に設けられた不図示の測光センサ）や、あるいは場合によっては前述の位相差検出方式ＡＦセンサ（不図示）の測定結果等に基づいて、被写体像の色情報、輝度情報及び合焦領域情報（焦点検出エリア等を示す情報）等の所定情報を得ている。従って、操作部３０に設けられた所定のボタンを操作することにより、上述の色情報等の所定情報に基づいて、粒状感ノイズ処理を実行する領域を特定することができるようにしてもよい。一例として、撮影されている画像領域の中で、例えば、輝度情報により輝度が低くなっていることが示されている部分を、又は、焦点が合っている部分を自動的に特定して上述の粒状感ノイズ処理を実行する等のようにすることができる。
【００４４】
また、上述のように部分的に粒状感ノイズ処理領域を特定できる場合において、上記所定情報に基づいて、被写体像の部分毎に粒状感の程度を異ならせるようにしても良い。例えば、フォーカスが合っている領域では他領域に比して相対的に粒状感を弱めたり、あるいは、所定輝度以上の領域は、他の領域に比して相対的に粒状感を弱めたり、あるいは、特定の色の領域（例えば、予めユーザに指定された色の領域）は、他の色領域に比して粒状感を強めるようにしても良い。この粒状感の強弱は、上述のパラメータチューニングによりなされる。また、粒状感処理を施す領域を、使用者が手動操作により設定できるようにしても良い。
【００４５】
また、本実施の形態に係るデジタルカメラにおいて、フィルム調モードが指定された場合には、撮影（ＩＳＯ）感度ブラケッティング撮影動作、すなわち、撮像素子の感度を高感度域に設定した状態で段階的に感度を変化させつつ（例えば、１枚目の画像をＩＳＯ１６００、２枚目の画像をＩＳＯ２０００、３枚目の画像をＩＳＯ３２００というようにＩＳＯ感度を変えながら）複数フレーム分の被写体像を連続して撮像する撮影動作、を行うようにしてもよい。
【００４６】
また、撮影モードによって粒状感を異ならせるようにしても良い。例えば、白黒写真モードが設定されている場合には、白黒写真に最適な粒状感が出るように、上述のパラメータのチューニングや、あるいは感度設定動作が行われるようにすれば良い。
【図面の簡単な説明】
【００４７】
【図１】本発明の実施の形態に係る撮像装置のブロック構成図である。
【図２】本発明の実施の形態に係るデジタルカメラにおける処理を説明するためのフローチャートである。
【図３】本発明の第１の実施の形態に係る粒状感ノイズ処理を説明するための図である。
【図４】本発明の第２の実施の形態に係る粒状感ノイズ処理を説明するための図である。
【図５】本発明の第２の実施の形態に係る粒状感ノイズ処理を説明するための他の図である。
【図６】本発明の第３の実施の形態に係る粒状感ノイズ処理を説明するための図である。
【符号の説明】
【００４８】
３・・・撮像素子、４・・・アナログ信号処理回路、６・・・画像処理回路、２０・・・ＣＰＵ、１３２・・・モード設定ボタン、４０、４１、４４・・・ローパスフィルタ（ＬＰＦ）、４２、４２ａ、４２ｂ・・・ハイパスフィルタ（ＨＰＦ）、４３、４３ａ、４３ｂ・・・加算回路、４５・・・ＪＰＥＧ圧縮回路、４６・・・ＤＣＴ処理回路、４７・・・重み付け係数回路、６０・・・輝度情報生成回路、６１・・・色差情報生成回路。
【図１】
2008252242.tif 000003
【図２】
2008252242.tif 000004
【図３】
2008252242.tif 000005
【図４】
2008252242.tif 000006
【図５】
2008252242.tif 000007
【図６】
2008252242.tif 000008